(57)【要約】【課題】従来のカッター用のマットでは、用紙を任意の角度の斜め線で正確にかつ簡単に切断することができないという課題があった。【解決手段】縦長の直方形のガイドの縦方向の一端を直方形のマットの一辺または一角に回転自在に取り付け、ガイドの稼動部とマットの複数箇所に磁石を取り付け、ガイドの磁石とマットの１つの磁石が磁力によって着状態になると、ガイドの一辺がマットの一辺に対して所望の角度で保持される事とした。【選択図】図１
2014171851.tif 000002
【特許請求の範囲】
【請求項１】
対象物の切断を補助するマットつきカッターガイドであって、
平板のマットと、
前記マットの表面の少なくとも１以上の角または辺に取り付けた軸と、
前記マットの表面に前記軸で一端をとりつけた回転自在の少なくとも１つの平板のガイドと、
前記ガイドの表面に取り付けた第１の磁石と、
前記マットの表面に取り付けた１以上の第２の磁石
を備え、
前記ガイドは前記軸で回転させると、前記第１の磁石と前記第２の磁石の１つが着状態となり、前記ガイドの辺が前記マットの辺に対して所定の角度で固定されることを特徴とする
マットつきカッターガイド
【請求項２】
請求項１に記載のマットつきカッターガイドであって、さらに
前記ガイドに２以上の軸受け穴を備え、前記軸は前記ガイド上を移動可能で、前記軸受け穴で固定されることを特徴とするもの
【発明の詳細な説明】
【技術分野】
【０００１】この発明はマットつきカッターガイドに関するものであり、特に、カッター等で安全かつ正確に紙を切ることができるマットつきカッターガイドに関する。
【背景技術】
【０００２】従来、紙を切る際に、定規などを手で押さえ、さらに、紙を動かないように手で押さえた状態で定規に沿ってカッターなどを利用して切っていた。両手を使用するので、手を切る危険があった。
特開平１−２８１８９７は、マット全体に磁性をもたせたカッター用のマットの技術を開示している。用紙を金属製の定規等と磁性マットとの間にはさむことで、用紙と定規を両手で保持することなく、安全かつ正確に用紙を切ることができるものである。また、実公平８−１８２９では、作業台の縁に用紙を挟む綴じ込み部を備えた裁断作業台が開示している。作業台と綴じ込み部それぞれにはＮＳ交互磁気帯を備え、磁力で簡単に用紙の綴じ込みと離脱ができるものである。
【先行技術文献】
【特許文献】
【０００３】
【特許文献１】特開平１−２８１８９７
【特許文献２】実公平８ー１８２９
【発明の概要】
【発明が解決しようとする課題】
【０００４】しかし、特開平１−２８１８９７並びに実公平８ー１８２９では、用紙を任意の角度の斜め直線で、正確かつ簡単に切断することができない。
【課題を解決するための手段】
【０００５】本願発明は、直方形のガイドの縦方向の一端を直方形のマットの一辺または一角に回転自在に取り付け、ガイドの可動部とマットの複数箇所に磁石を取り付け、ガイドの磁石とマットの１つの磁石が磁力によって着状態になると、ガイドの一辺がマットの一辺に対して予め設定した角度で固定される事とした。
【発明の効果】
【０００６】マットとガイドの間に紙を挟み込み、ガイドを動かして、マットに取り付けられた１つの磁石とガイドに取り付けられた磁石の位置をあわせると、磁力によりガイドとマットの位置が固定されガイドの一辺がマットの一辺に対して予め設定した角度で固定されて、間に置いた紙が固定されるので、紙とガイドの両方を手で固定せずに紙をカッターでガイドの辺に沿って所定の角度の斜め線で正確に切ることができる。従来の技術では、目測または別の測定手段で斜め直線の角度をあわせなければならなかった作業上の不便を改善することができる。
【図面の簡単な説明】
【０００７】
【図１】使用前の、ガイドの縦方向の辺とマットの縦方向の辺が並行のマットつきカッターガイドである。
【図２】使用の際の、ガイドの縦方向の辺とマットの縦方向の辺が互いに所定の角度で保持された、マットつきカッターガイドである。
【図３】ガイドがマットの２箇所の角において軸で取り付けされている実施の一形態での使用の例であって、２つのガイドの右側の辺が所定の角度の連結した２つの線分を構成している状態のマットつきカッターガイドである。
【発明を実施するための形態】
【０００８】［図１］は紙の切断前の、ガイドの縦方向の辺とマットの縦方向の辺が並行のマットつきカッターガイドである。１はマットつきカッターガイドであり、マット２、ガイド３、磁石５、６（６ａ、６ｂ、６ｃ、６ｄ、６ｅ、６ｆ、６ｇ）を組み合わせた構造を有する。マット２は紙を切るための下敷きで、四角形状で、机などを傷つけないためゴム素材となっている。ガイド３はマット２との間に紙を挟んだ際、ガイド２の右側の辺でまっすぐに紙が切れるようカッターの操作を補助するカッターガイドである。軸４は四角形状のマット２の１つの角９でガイド３を結合し、ガイド３は軸４を中心に回転可能である。磁石５と磁石６がガイド３とマット２のそれぞれに埋め込まれており、磁力により間に紙を挟むことができる。
【０００９】さらに、磁石６は６ａ、６ｂ、６ｃ、６ｄ、６ｅ、６ｆ、６ｇの７個の磁石からなっており、マット上に離散的に取り付けられて、ガイド３の磁石５が磁力で磁石６と着状態になると、ガイド３がマット２の垂直補助線７に対して所定の角度（０度、１５度、３０度、４５度、６０度、７５度、９０度）となる。
切断前は、磁石５は磁石６ａに相応する位置で着状態にあり、ガイド３とマット１は垂直方向補助線７に対して０度の角度である。
【００１０】［図２］は紙の切断の際の、ガイドの縦方向の辺とマットの縦方向の辺が互いに所定の角度で保持された、マットつきカッターガイドである。磁石５は磁石６ｂに相応する位置で着状態にあり、ガイド３とマット１の垂直方向補助線７に対して１５度の角度８である。
次に動作を説明する。使用者は、紙１０を切る際には、まず、図１に示す状態のカッターガイドのガイド３とマット２の間に紙１０を置く。紙１０をマット２上に置いた後に、軸４を中心にガイド３を回転させる。ガイド３と工作マット２が垂直補助線７に対して一例として１５度の角度８を構成する磁石６ｂと磁石５があわさる位置で回転を止めると、磁石５と磁石６ｂの磁力によってガイド３は位置が保持され、紙１０は確実にはさみこまれる。したがって、垂直補助線７に対して正確な１５度の角度８においてガイド３が固定される。
【００１１】使用者は紙１０をガイド３の右側の辺に沿ってカッター等で切断を行う。マット２はゴム素材で構成されており、マット２の下の机等が傷つくことは防止される。紙１０の切断後、使用者は紙１０をとりだす。
【００１２】以上のように、ガイド３を動かして、マット２に取り付けられた１つの磁石６の位置にガイド３に取り付けられた磁石５をあわせると、磁力によりガイド３とマット２の位置が固定されて、間に置いた紙１０が保持されるので、紙１０とガイド３の両方を手で固定せずに紙をカッターで所定の角度の斜め直線で正確に切ることができる。従来の技術では、目測または別の測定手段で斜め直線の角度をあわせなければならなかった作業上の不便を改善することができる。同様に、ガイド３の磁石５をマット２上の磁石６ａ、６ｃ、６ｄ、６ｅ、６ｆ、６ｇの位置に移動することで、垂直補助線７に対して０度、３０度、４５度、６０度、７５度、９０度の角度でガイド３が固定させて、紙を切ることができる。
【００１３】なお、磁石６は７個に限定されるものではなく、所定の個数とすることも可能であり、固定の角度のステップ（１５度等）でなくてもよい。なお、ガイド３の回転を容易にするように取手（図示無し）をつけてもよい。また、磁石５、６の埋め込みに替えて、ガイド３およびマット２に局所的に磁性物質を含有させるようにしてもよい。また、ガイド３上に複数の軸受け穴１１を備え、軸４を複数の軸受け穴１１の１つに移動させて保持可能とし、磁石６も軸４が移動された位置に応じて、磁石５の着状態になるようにマット２上に離散して取り付けられる構成としてもよい。これによってマット２上でガイド３の右側の辺が所望の長さの線分を構成するので、正確に所定の長さであって所定の角度である斜め線を切断できる。
さらに、マット２の２以上の角９（９ａ、９ｂ、９ｃ、９ｄ）に２以上のガイド３（３ａ、３ｂ、３ｃ、３ｄ）を取り付けてもよい。
［図３］はガイドがマットの２箇所の角において軸で取り付けされた実施の態様で、２つのガイドの右側の辺が所定の角度の連結した２つの線分を構成している状態のマットつきカッターガイドである。
図３は、角９ａと角９ｃにガイド３ａ、３ｃを取り付けており、ガイド３ａの右の辺と、ガイド３ｃの右の辺とが任意の角度で交差して一点で連結された２つの線分を構成し、これらの辺にそってカッター等で紙を切断する操作を補助できる。
また、マット２の４つの角９（９ａ、９ｂ、９ｃ、９ｄ）に４つのガイド３（３ａ、３ｂ、３ｃ、３ｄ）を取り付けることで、４つのガイドの辺で閉じられた各角が任意の角度の四角形を切断する際に、これらの４辺にそってカッター等で紙を切断する操作が補助できる。
【産業上の利用可能性】
【００１４】以上のようにマットつきカッターガイドでは、カッター等で安全かつ正確に紙を切る際に有用である。
【符号の説明】
【００１５】１  マットつきカッターガイド
２  マット
３  （３ａ、３ｃ）ガイド
４  軸
５  磁石
６  （６ａ、６ｂ、６ｃ、６ｄ、６ｅ、６ｆ、６ｇ）磁石
７  垂直補助線
８  １５度の角度
９  （９ａ、９ｂ、９ｃ、９ｄ）角
１０  紙
１１  軸受け穴
【図１】
2014171851.tif 000003
【図２】
2014171851.tif 000004
【図３】
2014171851.tif 000005